(57)【特許請求の範囲】
【請求項１】
テレビ受信機に表示されるテレビ広告と、端末に表示されるウェブ広告との視聴履歴を管理する視聴状況管理方法であって、
端末が、前記ウェブ広告を表示部に表示させるためのモジュールを含むページを前記表示部に表示させるステップと、
前記ページの少なくとも一部が前記表示部に表示されたことに応じて、前記端末が前記モジュールに基づいて、前記端末の識別情報である第１識別情報と前記テレビ広告の視聴状況とを関連付けて管理する第１サーバに、前記第１識別情報の取得リクエストを送信するステップと、
前記端末が、前記第１識別情報を含む前記ウェブ広告の取得リクエストを含む応答情報を前記第１サーバから受信するステップと、
前記端末が、前記応答情報に基づいて、前記第１識別情報を含む前記ウェブ広告の取得リクエストを、前記ウェブ広告を管理する第２サーバに送信するステップと、
前記第２サーバが、前記第２サーバに対応する前記端末の識別情報である第２識別情報を取得するステップと、
前記端末が、前記ウェブ広告の取得リクエストに応じて前記第２サーバから受信した前記ウェブ広告を前記ページに表示させるステップと、
前記第２サーバが、前記第１識別情報と、前記第２識別情報と、前記ウェブ広告の視聴状況とを関連付けて記憶部に記憶させるステップと、
を備える視聴状況管理方法。
【請求項２】
前記第１識別情報の取得リクエストを送信するステップは、過去に前記第１識別情報を前記第２サーバに送信していない場合に、前記第１識別情報の取得リクエストを前記第１サーバに送信する、
請求項１に記載の視聴状況管理方法。
【請求項３】
前記端末が、第３サーバに対応する前記端末の識別情報である第３識別情報と前記ウェブ広告に対応する商品の購入情報とを関連付けて管理する前記第３サーバに、前記第３識別情報の取得リクエストを送信するステップと、
前記端末が、前記第３サーバから前記第３識別情報を含む前記ウェブ広告の取得リクエストを含む第２応答情報を受信するステップと、
前記端末が、前記第２応答情報に基づいて、前記第３識別情報を含む前記ウェブ広告の取得リクエストを、前記第２サーバに送信するステップと、
前記第２サーバにおいて、前記第１識別情報と、前記第２識別情報と、前記第３識別情報と、前記ウェブ広告の視聴状況とを関連付けて記憶部に記憶させるステップとを備える、
請求項１又は２に記載の視聴状況管理方法。
【請求項４】
テレビ受信機に表示されるテレビ広告と、端末に表示されるウェブ広告との視聴履歴を管理する視聴状況管理方法であって、
前記端末が、前記端末の識別情報である第１識別情報と前記テレビ広告の視聴状況とを関連付けて管理する第１サーバから取得した、所定情報を表示部に表示させるためのモジュールを含むページを前記表示部に表示させるステップと、
前記ページの少なくとも一部が前記表示部に表示されたことに応じて、前記端末が前記モジュールに基づいて、前記ウェブ広告を管理する第２サーバに、前記第２サーバに対応する前記端末の識別情報である第２識別情報の取得リクエストを送信するステップと、
前記端末が、前記第２サーバから、前記第２識別情報を含む前記所定情報の取得リクエストを含む応答情報を受信するステップと、
前記端末が、前記応答情報に基づいて、前記第２識別情報を含む前記所定情報の取得リクエストを、前記第１サーバに送信するステップと、
前記所定情報の取得リクエストに応じて前記第１サーバから受信した前記所定情報を前記ページに表示させるステップと、
前記第１サーバにおいて、前記第１識別情報と、前記第２識別情報と、前記テレビ広告の視聴状況とを関連付けて記憶部に記憶させるステップと、
を備える視聴状況管理方法。
【請求項５】
前記表示部に前記ウェブ広告が表示されると、前記ウェブ広告が前記表示部に連続して表示された時間を前記第２サーバに送信するステップを備える、
請求項１から４のいずれか１項に記載の視聴状況管理方法。
【請求項６】
端末と、テレビ受信機に表示されるテレビ広告の視聴履歴を管理する第１サーバと、端末に表示されるウェブ広告の視聴履歴を管理する第２サーバとを備える視聴状況管理システムであって、
前記端末は、
前記ウェブ広告を表示部に表示させるためのモジュールを含むページを前記表示部に表示させる表示制御部と、
前記ページの少なくとも一部が前記表示部に表示されたことに応じて、前記モジュールに基づいて、前記端末の識別情報である第１識別情報と前記テレビ広告の視聴状況とを関連付けて管理する前記第１サーバに、前記第１識別情報の取得リクエストを送信し、前記第１サーバから受信した応答情報に含まれる、前記第１識別情報を含む前記ウェブ広告の取得リクエストと、前記ウェブ広告を管理する前記第２サーバに対応する前記端末の識別情報である第２識別情報とを前記第２サーバに送信する通信部とを有し、
前記第１サーバは、
前記端末から前記第１識別情報の取得リクエストを受信すると、前記ウェブ広告の取得リクエストを含む前記応答情報を送信する応答部を有し、
前記第２サーバは、
前記端末から前記第１識別情報を含む前記ウェブ広告の取得リクエストを受信すると、前記ウェブ広告を前記端末に送信し、前記端末から前記第２識別情報を受信すると、前記第１識別情報と、前記第２識別情報と、前記ウェブ広告の視聴状況とを関連付けて記憶部に記憶させるウェブ広告送信部を有する、
視聴管理システム。
【発明の詳細な説明】
【技術分野】
【０００１】
本発明は、視聴状況管理方法、視聴状況管理システム、及び端末に関する。
【背景技術】
【０００２】
従来、テレビ放送において放送される広告（テレビ広告）の効果を分析することが行われている。例えば、特許文献１には、アンケート等に基づく、視聴者モニタが調査対象となる放送を視聴していたかどうかを示す視聴情報を記録し、テレビ広告の放映記録と当該視聴情報とに基づいてテレビ広告ごとに視聴者がテレビ広告に遭遇した度合いを算出し、テレビ広告の効果を測定することが開示されている。
【先行技術文献】
【特許文献】
【０００３】
【特許文献１】特開２００９−１５２６６１号公報
【発明の概要】
【発明が解決しようとする課題】
【０００４】
ところで、近年、インターネット等のネットワークを介して提供されるウェブサイトや、ネットワークを介してサーバ等から情報を取得するアプリケーションに広告を表示させることが急速に広まっている。これにより、視聴者が、テレビ放送において放送されるテレビ広告を視聴したか否かと、ウェブサイトやアプリケーションに表示される広告（ウェブ広告）を視聴したか否かを統合的に管理し、テレビ広告及びウェブ広告の配信効果を精度良く分析することが求められている。
【０００５】
視聴者がテレビ広告及びネット広告のそれぞれを視聴したか否かについて統合的に管理する方法としては、視聴者に対してアンケートを行い、テレビ広告及びネット広告のそれぞれを閲覧したか否かの回答を受け付ける方法が考えられる。しかしながら、テレビ広告及びネット広告のそれぞれを視聴したか否かについて調査するためのアンケートに回答することは、視聴者にとって負担となってしまうという問題があった。
【０００６】
そこで、本発明はこれらの点に鑑みてなされたものであり、視聴者への負担を軽減しつつテレビ広告及びウェブ広告の配信効果を精度良く分析することができる視聴状況管理方法、視聴状況管理システム、及び端末を提供することを目的とする。
【課題を解決するための手段】
【０００７】
本発明の第１の態様に係る視聴状況管理方法は、テレビ受信機に表示されるテレビ広告と、端末に表示されるウェブ広告との視聴履歴を管理する視聴状況管理方法であって、端末が、前記ウェブ広告を表示部に表示させるためのモジュールを含むページを前記表示部に表示させるステップと、前記ページの少なくとも一部が前記表示部に表示されたことに応じて、前記端末が前記モジュールに基づいて、前記端末の識別情報である第１識別情報と前記テレビ広告の視聴状況とを関連付けて管理する第１サーバに、前記第１識別情報の取得リクエストを送信するステップと、前記端末が、前記第１識別情報を含む前記ウェブ広告の取得リクエストを含む応答情報を前記第１サーバから受信するステップと、前記端末が、前記応答情報に基づいて、前記第１識別情報を含む前記ウェブ広告の取得リクエストを、前記ウェブ広告を管理する第２サーバに送信するステップと、前記第２サーバが、前記第２サーバに対応する前記端末の識別情報である第２識別情報を取得するステップと、前記端末が、前記ウェブ広告の取得リクエストに応じて前記第２サーバから受信した前記ウェブ広告を前記ページに表示させるステップと、前記第２サーバが、前記第１識別情報と、前記第２識別情報と、前記ウェブ広告の視聴状況とを関連付けて記憶部に記憶させるステップと、を備える。
【０００８】
前記第１識別情報の取得リクエストを送信するステップは、過去に前記第１識別情報を前記第２サーバに送信していない場合に、前記第１識別情報の取得リクエストを前記第１サーバに送信してもよい。
【０００９】
前記視聴状況管理方法は、前記端末が、第３サーバに対応する前記端末の識別情報である第３識別情報と前記ウェブ広告に対応する商品の購入情報とを関連付けて管理する前記第３サーバに、前記第３識別情報の取得リクエストを送信するステップと、前記端末が、前記第３サーバから前記第３識別情報を含む前記ウェブ広告の取得リクエストを含む第２応答情報を受信するステップと、前記端末が、前記第２応答情報に基づいて、前記第３識別情報を含む前記ウェブ広告の取得リクエストを、前記第２サーバに送信するステップと、前記第２サーバにおいて、前記第１識別情報と、前記第２識別情報と、前記第３識別情報と、前記ウェブ広告の視聴状況とを関連付けて記憶部に記憶させるステップとを備えてもよい。
【００１０】
本発明の第２の態様に係る視聴状況管理方法は、テレビ受信機に表示されるテレビ広告と、端末に表示されるウェブ広告との視聴履歴を管理する視聴状況管理方法であって、前記端末が、前記端末の識別情報である第１識別情報と前記テレビ広告の視聴状況とを関連付けて管理する第１サーバから取得した、所定情報を表示部に表示させるためのモジュールを含むページを前記表示部に表示させるステップと、前記ページの少なくとも一部が前記表示部に表示されたことに応じて、前記端末が前記モジュールに基づいて、前記ウェブ広告を管理する第２サーバに、前記第２サーバに対応する前記端末の識別情報である第２識別情報の取得リクエストを送信するステップと、前記端末が、前記第２サーバから、前記第２識別情報を含む前記所定情報の取得リクエストを含む応答情報を受信するステップと、前記端末が、前記応答情報に基づいて、前記第２識別情報を含む前記所定情報の取得リクエストを、前記第１サーバに送信するステップと、前記所定情報の取得リクエストに応じて前記第１サーバから受信した前記所定情報を前記ページに表示させるステップと、前記第１サーバにおいて、前記第１識別情報と、前記第２識別情報と、前記テレビ広告の視聴状況とを関連付けて記憶部に記憶させるステップと、を備える。
前記視聴状況管理方法は、前記表示部に前記ウェブ広告が表示されると、前記ウェブ広告が前記表示部に連続して表示された時間を前記第２サーバに送信するステップを備えてもよい。
【００１１】
本発明の第３の態様に係る視聴状況管理システムは、端末と、テレビ受信機に表示されるテレビ広告の視聴履歴を管理する第１サーバと、端末に表示されるウェブ広告の視聴履歴を管理する第２サーバとを備える視聴状況管理システムであって、前記端末は、前記ウェブ広告を表示部に表示させるためのモジュールを含むページを前記表示部に表示させる表示制御部と、前記ページの少なくとも一部が前記表示部に表示されたことに応じて、前記モジュールに基づいて、前記端末の識別情報である第１識別情報と前記テレビ広告の視聴状況とを関連付けて管理する前記第１サーバに、前記第１識別情報の取得リクエストを送信し、前記第１サーバから受信した応答情報に含まれる、前記第１識別情報を含む前記ウェブ広告の取得リクエストと、前記ウェブ広告を管理する前記第２サーバに対応する前記端末の識別情報である第２識別情報とを前記第２サーバに送信する通信部とを有し、前記第１サーバは、前記端末から前記第１識別情報の取得リクエストを受信すると、前記ウェブ広告の取得リクエストを含む前記応答情報を送信する応答部を有し、前記第２サーバは、前記端末から前記第１識別情報を含む前記ウェブ広告の取得リクエストを受信すると、前記ウェブ広告を前記端末に送信し、前記端末から前記第２識別情報を受信すると、前記第１識別情報と、前記第２識別情報と、前記ウェブ広告の視聴状況とを関連付けて記憶部に記憶させるウェブ広告送信部を有する。
【００１２】
本発明の第４の態様に係る端末は、テレビ受信機に表示されるテレビ広告に関連するウェブ広告を表示する端末であって、前記ウェブ広告を表示部に表示させるためのモジュールを含むページを前記表示部に表示させる表示制御部と、前記ページの少なくとも一部が前記表示部に表示されたことに応じて、前記モジュールに基づいて、前記端末の識別情報である第１識別情報と前記テレビ広告の視聴状況とを関連付けて管理する第１サーバに、前記第１識別情報の取得リクエストを送信し、前記第１サーバから受信した応答情報に含まれる、前記第１識別情報を含む前記ウェブ広告の取得リクエストと、前記ウェブ広告を管理する第２サーバに対応する前記端末の識別情報である第２識別情報とを前記第２サーバに送信する通信部と、を備え、前記表示制御部は、前記取得リクエストに応じて前記第２サーバから送信される前記ウェブ広告を前記ページに表示させる。
【発明の効果】
【００１３】
本発明によれば、視聴者への負担を軽減しつつテレビ広告及びウェブ広告の配信効果を精度良く分析することができるという効果を奏する。
【図面の簡単な説明】
【００１４】
【図１】第１実施形態に係る視聴状況管理システムの概要を示す図である。
【図２】第１実施形態に係る端末、アンケートサーバ、及び広告管理サーバの構成を示す図である。
【図３】第１実施形態に係る評価サーバの構成を示す図である。
【図４】第１実施形態に係るテレビ広告の視聴状況の管理に係る処理の流れを示すシーケンス図である。
【図５】第１ＩＤと、回答情報とを関連付けた情報の一例を示す図である。
【図６】第１実施形態に係るウェブ広告の視聴状況の管理に係る処理の流れを示すシーケンス図である。
【図７】第２ＩＤと、第１ＩＤと、視聴履歴とを関連付けた情報の一例を示す図である。
【図８】テレビ広告及びウェブ広告の視聴状況の紐付けに係る処理の流れを示すシーケンス図である。
【図９】分析対象情報の一例を示す図である。
【図１０】第２実施形態に係るウェブ広告の視聴状況の管理に係る処理の流れを示すシーケンス図である。
【図１１】第３実施形態に係るウェブ広告の視聴状況の管理に係る処理の流れを示すシーケンス図である。
【図１２】第４実施形態に係るテレビ広告の視聴状況の管理に係る処理の流れを示すシーケンス図である。
【発明を実施するための形態】
【００１５】
＜第１実施形態＞
［視聴状況管理システムＳの概要］
図１は、第１実施形態に係る視聴状況管理システムＳの概要を示す図である。
視聴状況管理システムＳは、複数の視聴者のそれぞれが使用するスマートフォンやパーソナルコンピュータ等の端末１と、第１サーバとしてのアンケートサーバ３と、第２サーバとしての広告管理サーバ４と、評価サーバ５とを備えており、テレビ受信機に表示されるテレビ広告と、当該テレビ広告に関連するウェブ広告との視聴状況を管理するシステムである。なお、図１では、端末１は１台のみ示しているが、端末１は複数の視聴者のそれぞれに対応して複数存在するものとする。
【００１６】
アンケートサーバ３は、アンケートサーバ３において端末１を識別する第１識別情報としての第１ＩＤと、端末１の視聴者のテレビ広告の視聴状況とを関連付けて管理するサーバである。アンケートサーバ３は、視聴者の端末１に対して、テレビ広告の視聴状況に関するアンケートを受け付けるページを送信し、当該ページを介して視聴者からアンケートの回答を受け付ける（図１の（１））。例えば、アンケートサーバ３は、視聴状況に関するアンケートとして、テレビ広告をいつ、どこで、誰と視聴したか、テレビ広告の視聴頻度、及び視聴者の年齢、性別、趣味嗜好等の複数の項目についての回答を受け付ける。アンケートサーバ３は、アンケートの回答を受け付けると、第１ＩＤと、アンケートの回答を示す回答情報とを関連付けて記憶する。
【００１７】
続いて、端末１が、通信ネットワークを介して各種サイトを閲覧する中で、図１の（２）に示すように、ウェブサーバ２から、テレビ広告に関連するウェブ広告の表示用のモジュールを含むページを取得したとする。ここで、モジュールは、ウェブ広告を端末１に表示させるためのＨＴＭＬ文であり、例えば、ＪａｖａＳｃｒｉｐｔ（登録商標）によって記述されたスクリプトを含んでいる。
【００１８】
端末１は、ウェブ広告の表示用のモジュールに基づいて、アンケートサーバ３に第１ＩＤの取得リクエストを送信する（図１の（３））。アンケートサーバ３は、第１ＩＤの取得リクエストを受信すると、広告管理サーバ４にウェブ広告の取得を要求する広告取得リクエストを含む応答情報を端末１に送信する（図１の（４））。ここで、広告取得リクエストには、第１ＩＤが含まれている。
【００１９】
端末１は、アンケートサーバ３から応答情報を取得すると、第１ＩＤを含む広告取得リクエストを広告管理サーバ４に送信する（図１の（５））。
広告管理サーバ４は、広告取得リクエストを受信すると、広告管理サーバ４において端末１を識別する第２識別情報としての第２ＩＤを取得し（図１の（６））、ウェブ広告の視聴状況を示す視聴履歴を、第１ＩＤと第２ＩＤとに関連付けて記憶する（図１の（７））。広告管理サーバ４は、ウェブ広告を端末１に送信し、当該ウェブ広告を端末１に表示させる（図１の（８））。
【００２０】
アンケートサーバ３は、アンケートの回答情報と、第１ＩＤとを関連付けて評価サーバ５に送信する（図１の（９））。広告管理サーバ４は、ウェブ広告の視聴履歴と、第１ＩＤと、第２ＩＤとを関連付けて評価サーバ５に送信する（図１の（１０））。
【００２１】
アンケートの回答及びウェブ広告の視聴履歴には、第１ＩＤが関連付けられていることから、評価サーバ５は、第１ＩＤに基づいて、端末１において行われたアンケートの回答情報と、端末１におけるウェブ広告の視聴履歴とを関連付けて記憶することができる。評価サーバ５は、アンケートの回答と、ウェブ広告の視聴履歴とに基づいて、広告の配信効果を分析し、広告の効果を評価する（図１の（１１））。このようにすることで、評価サーバ５は、視聴者への負担を軽減しつつテレビ広告及びウェブ広告の配信効果を精度良く分析することができる。
【００２２】
［視聴状況管理システムＳの構成］
続いて、視聴状況管理システムＳの構成について説明する。図２は、第１実施形態に係る端末１、アンケートサーバ３、及び広告管理サーバ４の構成を示す図である。図３は、第１実施形態に係る評価サーバ５の構成を示す図である。
【００２３】
［端末１の構成］
端末１は、入力部１１と、表示部１２と、記憶部１３と、制御部１４とを備える。
入力部１１は、例えば、マウスやキーボード等である。入力部１１は、端末１を使用する視聴者から操作入力を受け付ける。
表示部１２は、例えば、液晶ディスプレイや有機ＥＬ（Electro-Luminescence）ディスプレイ等である。表示部１２は、例えば、制御部１４の制御に応じて、ウェブサーバ２やアンケートサーバ３から取得したページを表示する。
【００２４】
記憶部１３は、例えば、ＲＯＭ、ＲＡＭ及びハードディスク等の記憶媒体である。記憶部１３は、制御部１４が実行するプログラムを記憶する。記憶部１３は、制御部１４を表示制御部１４１及び通信部１４２として機能させるためのウェブブラウザプログラム（以下、ウェブブラウザという。）を記憶する。
【００２５】
また、記憶部１３は、ウェブブラウザに対応するクッキー（Ｃｏｏｋｉｅ）情報を記憶する。具体的には、記憶部１３は、アンケートサーバ３が生成し、アンケートサーバ３が参照可能な第１ＩＤを含むクッキー情報を制御部１４が受信したことに応じて、当該クッキー情報を記憶するとともに、広告管理サーバ４が生成し、広告管理サーバ４が参照可能な第２ＩＤを含むクッキー情報を制御部１４が受信したことに応じて、当該クッキー情報を記憶する。
【００２６】
制御部１４は、例えばＣＰＵである。制御部１４は、記憶部１３に記憶されている各種プログラムや、通信ネットワークを介して外部機器から取得したプログラムを実行することにより、端末１に係る機能を制御する。制御部１４は、表示制御部１４１と、通信部１４２とを備える。これらの機能の詳細については後述する。
【００２７】
［アンケートサーバ３の構成］
アンケートサーバ３は、記憶部３１と、アンケート受付部３２と、応答部としてのリダイレクト部３３と、通信部３４とを備える。
記憶部３１は、例えば、ＲＯＭ、ＲＡＭ及びハードディスク等の記憶媒体である。記憶部３１は、アンケートサーバ３の制御部（不図示）が実行するプログラムを記憶する。記憶部３１は、例えば、アンケートサーバ３の制御部をアンケート受付部３２、リダイレクト部３３、及び通信部３４として機能させるためのウェブサーバプログラムを記憶する。
【００２８】
また、記憶部３１は、アンケートの回答を受け付けるページを記憶する。また、記憶部３１は、端末１を識別する第１ＩＤと、端末１から受け付けたアンケートの回答を示す回答情報とを関連付けて記憶する。
アンケート受付部３２、リダイレクト部３３、及び通信部３４の機能の詳細については後述する。
【００２９】
［広告管理サーバ４の構成］
広告管理サーバ４は、記憶部４１と、ウェブ広告送信部４２と、通信部４３とを備える。
記憶部４１は、例えば、ＲＯＭ、ＲＡＭ及びハードディスク等の記憶媒体である。記憶部４１は、広告管理サーバ４の制御部（不図示）が実行するプログラムを記憶する。記憶部４１は、例えば、広告管理サーバ４の制御部をウェブ広告送信部４２及び通信部４３として機能させるための広告管理プログラムを記憶する。
【００３０】
また、記憶部４１は、端末１に配信するウェブ広告と、当該ウェブ広告を識別する広告ＩＤとを関連付けて記憶する。また、記憶部４１は、端末１を識別する第２ＩＤと、第１ＩＤと、端末１におけるウェブ広告の視聴履歴とを関連付けて記憶する。
ウェブ広告送信部４２及び通信部４３の機能の詳細については後述する。
【００３１】
［評価サーバ５の構成］
評価サーバ５は、記憶部５１と、通信部５２と、解析部５３とを備える。
記憶部５１は、例えば、ＲＯＭ、ＲＡＭ及びハードディスク等の記憶媒体である。記憶部５１は、評価サーバ５の制御部（不図示）が実行するプログラムを記憶する。記憶部５１は、例えば、評価サーバ５の制御部を通信部５２及び解析部５３として機能させるための解析プログラムを記憶する。
【００３２】
また、記憶部５１は、第１ＩＤと、第２ＩＤと、テレビ広告の視聴に関するアンケートの回答情報と、当該テレビ広告に対応するウェブ広告の視聴履歴とを関連付けて記憶する。
通信部５２及び解析部５３の機能の詳細については後述する。
【００３３】
［テレビ広告の視聴状況の管理に係るシーケンス］
続いて、テレビ広告及びウェブ広告の視聴状況の管理に係る処理の流れを説明しながら、端末１、アンケートサーバ３、広告管理サーバ４、及び評価サーバ５の各制御部の機能について説明する。まず、テレビ広告の視聴状況の管理に係る処理の流れについて説明する。
【００３４】
図４は、第１実施形態に係るテレビ広告の視聴状況の管理に係る処理の流れを示すシーケンス図である。なお、端末１の記憶部１３は、本シーケンスの開始時に第１ＩＤをクッキー情報として記憶していないものとする。
【００３５】
まず、端末１の通信部１４２は、視聴者の操作に応じて、テレビ広告の視聴に関するアンケートページの取得要求をアンケートサーバ３に送信する。
続いて、アンケートサーバ３のアンケート受付部３２は、端末１からアンケートページの取得要求を受信すると、第１ＩＤを生成する（Ｓ１０）。アンケートサーバ３のアンケート受付部３２は、生成した第１ＩＤをクッキー情報として端末１に送信し、記憶部１３に記憶させる（Ｓ２０）。
【００３６】
続いて、アンケートサーバ３のアンケート受付部３２は、アンケートページを端末１に送信する。端末１の表示制御部１４１は、受信したアンケートページを表示部１２に表示させて（Ｓ３０）、端末１を使用する視聴者からアンケートの回答を受け付ける。
【００３７】
続いて、端末１の通信部１４２は、アンケートページを介して受け付けたアンケートの回答を示す回答情報をアンケートサーバ３に送信する。アンケートサーバ３のアンケート受付部３２は、回答情報を受信したことに応じて、第１ＩＤと、回答情報とを関連付けて記憶部３１に記憶させる（Ｓ４０）。
【００３８】
図５は、第１ＩＤと、回答情報とを関連付けた情報の一例を示す図である。図５では、端末１から取得した回答情報として、複数の質問のそれぞれ（Ｑ１〜Ｑ３）に対する選択肢から視聴者が選択した番号が第１ＩＤに関連付けて記憶されていることが確認できる。
【００３９】
［ウェブ広告の視聴状況の管理に係るシーケンス］
続いて、ウェブ広告の視聴状況の管理に係る処理の流れについて説明する。図６は、第１実施形態に係るウェブ広告の視聴状況の管理に係る処理の流れを示すシーケンス図である。
【００４０】
まず、端末１の通信部１４２は、ウェブサーバ２にページの取得を要求するページ取得リクエストを送信する。ウェブサーバ２は、ページ取得リクエストを受信すると、ページを端末１に送信する。ここで、ウェブサーバ２が端末１に送信するページには、アンケートが行われたテレビ広告に関連するウェブ広告を表示部１２に表示させるためのモジュールが含まれている。例えば、このモジュールには、ウェブ広告の取得先のアドレスの代わりに、ウェブ広告を識別する広告ＩＤをパラメータとして含み、アンケートサーバ３に第１ＩＤの取得を要求するためのアドレスが含まれている。
【００４１】
端末１の表示制御部１４１は、ウェブサーバ２からページを受信すると、当該ページを表示部１２に表示させる（Ｓ１１０）。
続いて、端末１の通信部１４２は、ページの少なくとも一部が表示部１２に表示されたことに応じて、ページに含まれるモジュールに基づいて、アンケートサーバ３に、第１ＩＤの取得を要求する取得リクエストを送信する。
【００４２】
アンケートサーバ３のリダイレクト部３３は、第１ＩＤの取得リクエストを受信すると、第１ＩＤを取得する（Ｓ１２０）。具体的には、リダイレクト部３３は、第１ＩＤの取得リクエストを受信すると、パラメータとして含まれている広告ＩＤを取得するとともに、端末１においてクッキー情報として記憶されている第１ＩＤを取得する。なお、リダイレクト部３３は、端末１にクッキー情報として第１ＩＤが記憶されていない場合には、第１ＩＤを生成することにより第１ＩＤを取得する。そして、リダイレクト部３３は、生成した第１ＩＤをクッキー情報として端末１に記憶させる。
【００４３】
続いて、リダイレクト部３３は、ウェブ広告の取得リクエストを含む応答情報を端末１に送信する。具体的には、リダイレクト部３３は、第１ＩＤの取得リクエストに対応して、応答情報として、ページの一時的な移転を示す３０２リダイレクトを示し、移転先のアドレスを広告管理サーバ４とするリダイレクト情報を端末１に送信する。ここで、移転先のアドレスは、広告管理サーバ４にウェブ広告の取得を要求するためのアドレスであり、パラメータとして、第１ＩＤと、広告ＩＤとが含まれている。
端末１の通信部１４２は、アンケートサーバ３から、応答情報としてのリダイレクト情報を受信する。
【００４４】
続いて、端末１の通信部１４２は、受信したリダイレクト情報に基づいて、アンケートサーバ３から受信した第１ＩＤと、広告ＩＤとを含むウェブ広告の取得リクエストを広告管理サーバ４に送信する。具体的には、端末１の通信部１４２は、リダイレクト情報に含まれる第１ＩＤ及び広告ＩＤをパラメータとして含む広告管理サーバ４のアドレスに基づいて、広告管理サーバ４に、第１ＩＤ及び広告ＩＤを含むウェブ広告の取得リクエストを送信する。
【００４５】
広告管理サーバ４のウェブ広告送信部４２は、第１ＩＤ及び広告ＩＤを含むウェブ広告の取得リクエストを受信すると、第２ＩＤを取得する（Ｓ１３０）。具体的には、ウェブ広告送信部４２は、ウェブ広告の取得リクエストを受信すると、端末１に、クッキー情報として記憶されている第２ＩＤの取得リクエストを送信する。端末１の通信部１４２は、第２ＩＤの取得リクエストを受信したことに応じて、広告管理サーバ４に対応するクッキー情報として第２ＩＤを取得し、当該第２ＩＤを広告管理サーバ４に送信する。
【００４６】
なお、ウェブ広告送信部４２は、端末１にクッキー情報として第２ＩＤが記憶されていない場合には、第２ＩＤを生成することにより第２ＩＤを取得する。そして、ウェブ広告送信部４２は、生成した第２ＩＤをクッキー情報として端末１に記憶させる。
【００４７】
続いて、ウェブ広告送信部４２は、端末１から広告取得リクエストを受信したことに応じて、端末１においてウェブ広告が閲覧されたものとして、Ｓ１３０において取得した第２ＩＤと、端末１から受信した広告取得リクエストにパラメータとして含まれている第１ＩＤと、ウェブ広告の視聴履歴とを関連付けて記憶部４１に記憶させる（Ｓ１４０）。
【００４８】
図７は、第２ＩＤと、第１ＩＤと、視聴履歴とを関連付けた情報の一例を示す図である。図７では、視聴履歴に関する情報として、視聴の有無を示す情報が第２ＩＤ及び第１ＩＤに関連付けて記憶されていることが確認できる。ここで、視聴の有無を示す情報が「１」の場合、視聴したことを示すものとする。なお、ウェブ広告送信部４２は、第２ＩＤと、第１ＩＤと、視聴履歴と、広告ＩＤとを関連付けて記憶部４１に記憶させてもよい。
【００４９】
続いて、ウェブ広告送信部４２は、広告取得リクエストにパラメータとして含まれている広告ＩＤに基づいてウェブ広告を選択して当該ウェブ広告を端末１に送信する。端末１の表示制御部１４１は、広告取得リクエストに応じて広告管理サーバ４から受信したウェブ広告を、表示部１２に表示されているページの内部に表示させる（Ｓ１５０）。
【００５０】
なお、ウェブ広告送信部４２は、端末１から広告取得リクエストを受信したことに応じて、端末１においてウェブ広告が閲覧されたものとして、第２ＩＤと、第１ＩＤと、ウェブ広告の視聴履歴とを関連付けて記憶部４１に記憶させたが、これに限らない。例えば、ウェブ広告送信部４２は、端末１においてウェブ広告に視聴者が指等を接触したことを検出してもよい。そして、ウェブ広告送信部４２は、当該接触があったことに応じて端末１においてウェブ広告が閲覧されたものとして、第２ＩＤと、第１ＩＤと、ウェブ広告の視聴履歴とを関連付けて記憶部４１に記憶させてもよい。
【００５１】
また、端末１の通信部１４２は、表示部１２にウェブ広告が表示されると、ウェブ広告が表示部１２に連続して表示された時間を示す情報を広告管理サーバ４に送信してもよい。例えば、ウェブサーバ２から受信したページに含まれているモジュールに、ウェブ広告の表示時間を測定し、測定した時間を示す情報を広告管理サーバ４に送信するスクリプトを含めておき、通信部１４２が、当該スクリプトに基づいて、ウェブ広告が表示部１２に連続して表示された時間を示す情報を広告管理サーバ４に送信してもよい。このようにすることで、広告管理サーバ４では、視聴者がウェブ広告をどのくらい視聴したかについて管理することができる。
【００５２】
［テレビ広告及びウェブ広告の視聴状況の紐付けに係るシーケンス］
続いて、テレビ広告及びウェブ広告の視聴状況の紐付けに係る処理の流れについて説明する。図８は、テレビ広告及びウェブ広告の視聴状況の紐付けに係る処理の流れを示すシーケンス図である。
【００５３】
まず、アンケートサーバ３の通信部３４は、回答情報と第１ＩＤとを関連付けて評価サーバ５に送信する（Ｓ２１０）。例えば、アンケートサーバ３の通信部３４は、アンケートサーバ３の管理者から、入力部（不図示）を介して回答情報の評価サーバ５への送信指示を受け付けたことに応じて、第１ＩＤと回答情報とを関連付けた情報を評価サーバ５に送信する。
【００５４】
続いて、広告管理サーバ４の通信部４３は、ウェブ広告の視聴履歴と、第１ＩＤと、第２ＩＤとを関連付けて評価サーバ５に送信する（Ｓ２２０）。例えば、広告管理サーバ４の通信部４３は、広告管理サーバ４の管理者から、入力部（不図示）を介してウェブ広告の視聴履歴の評価サーバ５への送信指示を受け付けたことに応じて、ウェブ広告の視聴履歴と、第１ＩＤと、第２ＩＤとを関連付けた情報を評価サーバ５に送信する。
【００５５】
なお、本シーケンスでは、Ｓ２１０に示す処理の後にＳ２２０に示す処理を行う例について説明したが、これに限らず、Ｓ２２０に示す処理の後にＳ２１０に示す処理を行うようにしてもよい。
【００５６】
続いて、評価サーバ５の通信部５２は、アンケートサーバ３から送信された第１ＩＤと回答情報とを関連付けた情報と、広告管理サーバ４から送信されたウェブ広告の視聴履歴と第１ＩＤと第２ＩＤとを関連付けた情報とを受信すると、これらの情報を関連付けて分析対象情報として記憶部５１に記憶させる（Ｓ２３０）。
【００５７】
図９は、分析対象情報の一例を示す図である。図９に示すように、分析対象情報は、第１ＩＤと、第２ＩＤと、回答情報と、ウェブ広告の視聴履歴とを関連付けた情報であることが確認できる。ここで、「−」は、情報が取得されていないことを示している。例えば、第１ＩＤ「Ａ０００３」に関連する第２ＩＤと、ウェブ広告の視聴履歴とが取得されていない。これは、第１ＩＤ「Ａ０００３」に対応する視聴者が、ウェブ広告を未視聴であることを示している。
【００５８】
また、第２ＩＤ「Ｂ０００３」に関連する第１ＩＤ「Ａ０００４」が記憶されているものの、回答情報が取得されていない。これは、端末１がウェブ広告を表示する際に、第１ＩＤの取得要求をアンケートサーバ３に送信したことによって第１ＩＤ「Ａ０００４」が生成され、その後、端末１の視聴者がアンケートに回答していないことを示している。
【００５９】
続いて、評価サーバ５の解析部５３は、記憶部５１に記憶された分析対象情報に基づいて、テレビ広告とウェブ広告との効果を解析する解析処理を実行する（Ｓ２４０）。評価サーバ５は、同一の視聴者によるテレビ広告に対応するアンケートの回答情報と、ウェブ広告の視聴履歴とを関連付けて解析することができるので、精度良く解析を行うことができる。
【００６０】
［第１実施形態における効果］
以上説明した通り、第１実施形態に係る視聴状況管理システムＳは、端末１が、表示部１２に表示させるページに含まれるモジュールに基づいて、テレビ広告の視聴状況を第１ＩＤと関連付けて管理するアンケートサーバ３に第１ＩＤの取得リクエストを送信し、第１ＩＤを含むウェブ広告の取得リクエストを含む応答情報を受信すると、当該応答情報に基づいて、第１ＩＤを含むウェブ広告の取得リクエストを広告管理サーバ４に送信し、広告管理サーバ４から受信したウェブ広告をページに表示させる。また、広告管理サーバ４は、第２ＩＤを取得し、第１ＩＤと、第２ＩＤと、ウェブ広告の視聴状況とを関連付けて記憶部４１に記憶させる。
【００６１】
このようにすることで、広告管理サーバ４は、アンケートサーバ３において端末１を識別する第１ＩＤと、広告管理サーバ４において端末１を識別する第２ＩＤとに関連付けてウェブ広告の視聴状況を記憶する。したがって、視聴状況管理システムＳは、第１ＩＤをキーとして、一の視聴者に対応するウェブ広告の視聴状況と、テレビ広告の視聴状況とを関連付けることができるので、視聴者への負担を軽減しつつテレビ広告及びウェブ広告の配信効果を精度良く分析することができる。
【００６２】
＜第２実施形態＞
［広告管理サーバ４において第１ＩＤを受信していない場合に、アンケートサーバ３に第１ＩＤの取得リクエストを送信する］
続いて、第２実施形態について説明する。第２実施形態において、端末１の通信部１４２は、過去に第１ＩＤを広告管理サーバ４に送信していない場合に限定して、第１ＩＤの取得リクエストをアンケートサーバ３に送信する点で第１実施形態と異なる。以下に、第１実施形態と異なる部分について説明を行う。第１実施形態と同じ部分については適宜説明を省略する。
【００６３】
以下に、第２実施形態に係るウェブ広告の視聴状況の管理に係る処理の流れについて説明する。図１０は、第２実施形態に係るウェブ広告の視聴状況の管理に係る処理の流れを示すシーケンス図である。
【００６４】
Ｓ１１０までの処理の流れは、第１実施形態と同様であるので説明を省略する。
続いて、端末１の通信部１４２は、ページの少なくとも一部が表示部１２に表示されたことに応じて、ページに含まれるモジュールに基づいて、広告管理サーバ４に、ウェブ広告の取得リクエストを送信する。
【００６５】
本実施形態において、例えば、端末１の記憶部１３は、広告管理サーバ４が参照可能なクッキー情報として、端末１から広告管理サーバ４に第１ＩＤを送信しているか否かを示すフラグ情報を記憶する。
【００６６】
続いて、広告管理サーバ４のウェブ広告送信部４２は、端末１にクッキー情報として記憶されているフラグ情報を取得し（Ｓ１１１）、広告管理サーバ４が第１ＩＤを取得しているか否かを判定する（Ｓ１１２）。ウェブ広告送信部４２は、広告管理サーバ４が第１ＩＤを取得していると判定すると、Ｓ１４１の直後に処理を移し、広告管理サーバ４が第１ＩＤを取得していないと判定すると、端末１に、第１ＩＤの取得リクエストを含む応答情報を送信する。
【００６７】
端末１の通信部１４２は、第１ＩＤの取得リクエストを含む応答情報を受信すると、当該応答情報に基づいて、第１ＩＤの取得リクエストをアンケートサーバ３に送信する。Ｓ１２０からＳ１４０までの処理の流れは、第１実施形態と同様であるので説明を省略する。
【００６８】
続いて、Ｓ１４１において、ウェブ広告送信部４２は、端末１から広告管理サーバ４に第１ＩＤを送信していることを示すフラグ情報を生成し、当該フラグ情報をクッキー情報として端末１に記憶させる。
その後の処理の流れは、第１実施形態と同様であるので説明を省略する。
【００６９】
［第２実施形態における効果］
以上説明した通り、第２実施形態に係る視聴状況管理システムＳは、端末１が過去に第１ＩＤを広告管理サーバ４に送信していない場合に、第１ＩＤの取得リクエストをアンケートサーバ３に送信する。
【００７０】
このようにすることで、端末１が２回目以降にウェブ広告を取得する場合に、第１ＩＤの取得リクエストをアンケートサーバ３に送信する必要がないので、端末１における処理負荷及びアンケートサーバ３における処理負荷を軽減することができる。
【００７１】
＜第３実施形態＞
［第１ＩＤと、第２ＩＤと、広告に対応する商品の販売管理サーバにおいて端末１を識別する第３ＩＤとを関連付ける］
続いて、第３実施形態について説明する。第３実施形態において、広告管理サーバ４が、広告に対応する商品の販売管理を行う販売管理サーバ６において端末１を識別する第３ＩＤと、第１ＩＤと、第２ＩＤとを関連付けて記憶する点で第１実施形態と異なる。
【００７２】
以下に、第３実施形態に係るウェブ広告の視聴状況の管理に係る処理の流れについて説明する。図１１は、第３実施形態に係るウェブ広告の視聴状況の管理に係る処理の流れを示すシーケンス図である。
【００７３】
Ｓ１２０までの処理の流れは、第１実施形態と同様であるので説明を省略する。
アンケートサーバ３のリダイレクト部３３は、第３ＩＤの取得リクエストを含む応答情報を端末１に送信する。具体的には、リダイレクト部３３は、第１ＩＤの取得リクエストに対応して、応答情報として、ページの一時的な移転を示す３０２リダイレクトを示し、移転先のアドレスを販売管理サーバ６とするリダイレクト情報を端末１に送信する。ここで、移転先のアドレスは、販売管理サーバ６に第３ＩＤの取得を要求するためのアドレスであり、パラメータとして、第１ＩＤと、アンケートが行われたテレビ広告に対応するウェブ広告を識別する広告ＩＤとが含まれている。
【００７４】
続いて、端末１の通信部１４２は、アンケートサーバ３から応答情報を受信したことに応じて、第３ＩＤと、ウェブ広告に対応する商品の購入情報とを関連付けて管理する販売管理サーバ６に、第３ＩＤの取得リクエストを送信する。
【００７５】
販売管理サーバ６は、第３ＩＤの取得リクエストを受信すると、端末１から、販売管理サーバ６に対応するクッキー情報として第３ＩＤを取得する（Ｓ１２１）。なお、販売管理サーバ６は、端末１にクッキー情報として第３ＩＤが記憶されていない場合には、第３ＩＤを生成することにより第３ＩＤを取得する。そして、販売管理サーバ６は、生成した第３ＩＤをクッキー情報として端末１に記憶させる。
【００７６】
続いて、販売管理サーバ６は、ウェブ広告の取得リクエストを含む第２応答情報を端末１に送信する。具体的には、販売管理サーバ６は、第３ＩＤの取得リクエストに対応して、第２応答情報として、ページの一時的な移転を示す３０２リダイレクトを示し、移転先のアドレスを広告管理サーバ４とするリダイレクト情報を端末１に送信する。ここで、移転先のアドレスは、広告管理サーバ４にウェブ広告の取得を要求するためのアドレスであり、パラメータとして、第１ＩＤと、第３ＩＤと、広告ＩＤとが含まれている。
【００７７】
端末１の通信部１４２は、販売管理サーバ６から第１ＩＤ、第３ＩＤ、及び広告ＩＤを含むウェブ広告の取得リクエストを含む第２応答情報を受信する。
続いて、端末１の通信部１４２は、第２応答情報に基づいて、第１ＩＤ、第３ＩＤ、及び広告ＩＤを含むウェブ広告の取得リクエストを、広告管理サーバ４に送信する。
【００７８】
広告管理サーバ４のウェブ広告送信部４２は、第１ＩＤ、第３ＩＤ及び広告ＩＤを含むウェブ広告の取得リクエストを受信すると、第２ＩＤを取得する（Ｓ１３０）。
続いて、ウェブ広告送信部４２は、端末１から広告取得リクエストを受信したことに応じて、端末１においてウェブ広告が閲覧されたものとして、Ｓ１３０において取得した第２ＩＤと、端末１から受信した広告取得リクエストにパラメータとして含まれている第１ＩＤと、第３ＩＤと、ウェブ広告の視聴履歴とを関連付けて記憶部４１に記憶させる（Ｓ１４０）。
以降の処理は、第１実施形態と同様であるので説明を省略する。
【００７９】
［第３実施形態における効果］
以上説明した通り、第３実施形態に係る視聴状況管理システムＳは、広告管理サーバ４が、第１ＩＤと、第２ＩＤと、第３ＩＤと、ウェブ広告の視聴状況とを関連付けて記憶部４１に記憶させる。このようにすることで、評価サーバ５では、販売管理サーバ６から、第３ＩＤと、ウェブ広告に対応する商品の販売履歴とを受信することにより、テレビ広告及びウェブ広告の視聴状況と、商品の販売履歴とを関連付けることができ、商品の販売履歴に基づいて、テレビ広告及びウェブ広告の効果を精度良く分析することができる。
【００８０】
＜第４実施形態＞
［アンケートサーバ３が、第１ＩＤと第２ＩＤとを関連付けて記憶する］
続いて、第４実施形態について説明する。第４実施形態では、アンケートサーバ３が、第１ＩＤと第２ＩＤとを関連付けて記憶する点で第１実施形態と異なる。
【００８１】
以下に、第４実施形態に係るテレビ広告の視聴状況の管理に係る処理の流れについて説明する。図１２は、第４実施形態に係るテレビ広告の視聴状況の管理に係る処理の流れを示すシーケンス図である。
【００８２】
Ｓ３０までの処理の流れは、第１実施形態と同様であるので説明を省略する。
Ｓ３０において、表示制御部１４１は、アンケートページを受信すると、当該アンケートページを表示部１２に表示させる。
第４実施形態において、アンケートページには、所定情報を表示部１２に表示させるためのモジュールが含まれている。ここで、所定情報は、アンケートサーバ３において、広告管理サーバ４から第２ＩＤを取得するために用いるビーコン画像である。ビーコン画像は、例えば、数ピクセルの透過画像であり、当該ビーコン画像がアンケートページに表示されてもアンケートページの表示態様は変化しない。また、モジュールには、広告管理サーバ４から第２ＩＤを取得するためのアドレスが含まれている。
【００８３】
通信部１４２は、アンケートページの少なくとも一部が表示部１２に表示されたことに応じて、アンケートページに含まれるモジュールに基づいて、広告管理サーバ４に第２ＩＤの取得リクエストを送信する。
【００８４】
広告管理サーバ４の通信部４３は、第２ＩＤの取得リクエストを受信すると、第２ＩＤを取得し（Ｓ３１）、第２ＩＤをパラメータとして含み、アンケートサーバ３に第２ＩＤを通知するためのアドレスを含む応答情報を端末１に送信する。具体的には、通信部４３は、第２ＩＤの取得リクエストに対応して、応答情報として、ページの一時的な移転を示す３０２リダイレクトを示し、移転先のアドレスをアンケートサーバ３とするリダイレクト情報を端末１に送信する。ここで、移転先のアドレスは、アンケートサーバ３にビーコン画像（所定情報）の取得を要求するためのアドレスであり、パラメータとして第２ＩＤが含まれている。
【００８５】
端末１の通信部１４２は、広告管理サーバ４から、第２ＩＤを含むビーコン画像の取得リクエストを含む応答情報としてのリダイレクト情報を受信する。
続いて、通信部１４２は、受信したリダイレクト情報に基づいて、広告管理サーバ４から受信した、第２ＩＤをパラメータとして含むビーコン画像の取得リクエストをアンケートサーバ３に送信する。
【００８６】
アンケートサーバ３のアンケート受付部３２は、ビーコン画像の取得リクエストを端末１から受信したことに応じて、ビーコン画像を端末１に送信する。
端末１の通信部１４２が、ビーコン画像をアンケートサーバ３から受信すると、表示制御部１４１は、当該ビーコン画像を表示部１２に表示されているアンケートページに表示させる（Ｓ３２）。
【００８７】
続いて、端末１の通信部１４２は、アンケートページを介して受け付けたアンケートの回答を示す回答情報をアンケートサーバ３に送信する。アンケートサーバ３のアンケート受付部３２は、回答情報を受信したことに応じて、第１ＩＤと、第２ＩＤと、回答情報とを関連付けて記憶部３１に記憶させる（Ｓ４０）。
【００８８】
［第４実施形態における効果］
以上説明した通り、第４実施形態に係る視聴状況管理システムＳは、アンケートサーバ３が、第１ＩＤと、第２ＩＤとを関連付けて記憶するので、第２ＩＤをキーとして、一の視聴者に対応するウェブ広告の視聴状況と、テレビ広告の視聴状況とを関連付けることができる。よって、第４実施形態に係る視聴状況管理システムＳは、第１実施形態と同様に、視聴者への負担を軽減しつつテレビ広告及びウェブ広告の配信効果を精度良く分析することができる。
【００８９】
また、端末１からアンケートサーバ３へのアクセス回数は、端末１から広告管理サーバ４へのアクセス回数に比べて少ない可能性が高い。したがって、視聴状況管理システムＳでは、第１実施形態のように、広告管理サーバ４が広告の取得要求を受け付けたことに応じて、アンケートサーバ３に第１ＩＤの取得リクエストを送信することが不要となるので、広告管理サーバ４における処理負荷を軽減することができる。
【００９０】
＜第５実施形態＞
［アプリケーションが表示するウェブ広告と、テレビ広告との視聴状況を管理する］
続いて、第５実施形態について説明する。第１実施形態では、テレビ広告と、ブラウザ上に表示されるウェブ広告との視聴状況とを関連付けて管理したが、第５実施形態では、アプリケーションに表示される広告と、テレビ広告との視聴状況とを関連付けて管理する点で第１実施形態と異なる。
【００９１】
第５実施形態において、表示制御部１４１は、端末１にインストールされているアプリケーションがテレビ広告に対応するウェブ広告を広告管理サーバ４から取得して表示すると、当該アプリケーションにおいて端末１を識別するための広告用ＩＤと、ウェブ広告の視聴履歴とを関連付けて記憶部１３に記憶させる。ここで、アプリケーションが表示するウェブ広告をアプリケーション広告という。なお、広告用ＩＤは、ウェブブラウザにおいてクッキー情報として管理可能な第１ＩＤ及び第２ＩＤとは異なるＩＤである。
広告管理サーバ４は、広告用ＩＤと、アプリケーション広告の視聴履歴とを関連付けて記憶部４１に記憶する。
【００９２】
第５実施形態において、アプリケーション広告には、アプリケーション広告の詳細を示す詳細ページのアドレスであって、広告用ＩＤをパラメータとして含むアドレスが関連付けられている。詳細ページは、広告管理サーバ４が提供するページであるものとする。
【００９３】
表示制御部１４１は、端末１を使用する視聴者が、アプリケーション広告に接触したことに応じて、ウェブブラウザを起動し、詳細ページのアドレスに基づいて広告管理サーバ４にアクセスする。そして、広告管理サーバ４から詳細ページを取得し、当該詳細ページを表示部１２に表示させる。
【００９４】
広告管理サーバ４は、詳細ページを端末１に送信する際に、第２ＩＤを生成するとともに、詳細ページのアドレスに含まれている広告用ＩＤを取得する。
また、広告管理サーバ４は、第１実施形態と同様にウェブブラウザにおいてウェブ広告を表示させる際、又は詳細ページを表示させる際に、アンケートサーバ３に第１ＩＤの取得リクエストを送信することにより、アンケートサーバ３から第１ＩＤを取得する。そして、広告管理サーバ４は、第１ＩＤと、第２ＩＤと、広告用ＩＤと、ウェブ広告の視聴履歴とを関連付けて記憶部４１に記憶させる。
【００９５】
評価サーバ５は、アンケートサーバ３から、第１ＩＤと、アンケートの回答を示す回答情報とを関連付けた情報を取得する。また、評価サーバ５は、広告管理サーバ４から、第１ＩＤと、第２ＩＤと、広告ＩＤと、ウェブ広告の視聴履歴とを関連付けた情報を取得する。また、評価サーバ５は、広告管理サーバ４から、広告ＩＤと、アプリケーション広告の視聴履歴とを関連付けた情報を取得する。
【００９６】
続いて、評価サーバ５は、第１ＩＤと、第２ＩＤと、広告ＩＤと、回答情報と、ウェブ広告の視聴履歴と、アプリケーション広告の視聴履歴とを関連付けて、分析対象情報として記憶部５１に記憶させる。
【００９７】
［第５実施形態における効果］
以上説明した通り、第５実施形態に係る視聴状況管理システムＳでは、広告管理サーバ４が、詳細ページを端末１に送信する際に、第２ＩＤを生成するとともに、詳細ページのアドレスに含まれている広告用ＩＤを取得する。これにより、広告管理サーバ４では、広告用ＩＤと、第２ＩＤとを関連付けることができる。また、第２ＩＤは、アンケートサーバ３において用いられる第１ＩＤと関連付けることができる。したがって、評価サーバ５では、アンケートの回答情報と、ウェブ広告の視聴履歴と、アプリケーションにおいて表示されるアプリケーション広告の視聴履歴とを関連付けることができる。
【００９８】
なお、第５実施形態において、端末１が、アプリケーション広告に接触したことに応じて、ウェブブラウザに詳細ページを表示させることにより、広告ＩＤと、第２ＩＤとを関連付けることとしたが、これに限らない。例えば、アプリケーションの使用開始時に、ウェブブラウザに広告管理サーバ４のページを表示させることにより、広告ＩＤと、第２ＩＤとを関連付けるようにしてもよい。
【００９９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１００】
例えば、上述の実施形態では、ウェブ広告が、テレビ受信機に表示されるテレビ広告に関連する広告であることとしたが、これに限らず、テレビ受信機に表示されるテレビ広告に関連しない広告であってもよい。この場合、アンケートサーバ３において、例えば同じ年齢や同じ性別といった項目の回答を受け付け、評価サーバ５において、同じ視聴者層における、別分野のテレビ広告とウェブ広告とをクロス集計し、当該テレビ広告とウェブ広告との相関関係について分析するようにしてもよい。
【符号の説明】
【０１０１】
１・・・端末、１１・・・入力部、１２・・・表示部、１３・・・記憶部、１４・・・制御部、１４１・・・表示制御部、１４２・・・通信部、２・・・ウェブサーバ、３・・・アンケートサーバ、３１・・・記憶部、３２・・・アンケート受付部、３３・・・リダイレクト部、３４・・・通信部、４・・・広告管理サーバ、４１・・・記憶部、４２・・・ウェブ広告送信部、４３・・・通信部、５・・・評価サーバ、５１・・・記憶部、５２・・・通信部、５３・・・解析部、６・・・販売管理サーバ
【要約】      （修正有）【課題】視聴者への負担を軽減しつつテレビ広告及びウェブ広告の配信効果を精度良く分析する。【解決手段】端末１は、ウェブ広告を表示させるためのモジュールを含むページの少なくとも一部が表示部１２に表示されたことに応じて、モジュールに基づいて、第１ＩＤとテレビ広告の視聴状況とを関連付けて管理するアンケートサーバ３に、第１ＩＤの取得リクエストを送信し、アンケートサーバ３から第１ＩＤを含むウェブ広告の取得リクエストを含む応答情報を受信し、応答情報に基づいて第１ＩＤを含むウェブ広告の取得リクエストを広告管理サーバ４に送信するとともに、広告管理サーバ４に対応する端末１の識別情報である第２ＩＤを広告管理サーバ４に送信し、広告管理サーバ４から受信したウェブ広告をページに表示する。広告管理サーバ４は、第１ＩＤと、第２ＩＤと、ウェブ広告の視聴状況とを関連付けて記憶部に記憶させる。【選択図】図１【図１】
0005913715.tif 000002
【図２】
0005913715.tif 000003
【図３】
0005913715.tif 000004
【図４】
0005913715.tif 000005
【図５】
0005913715.tif 000006
【図６】
0005913715.tif 000007
【図７】
0005913715.tif 000008
【図８】
0005913715.tif 000009
【図９】
0005913715.tif 000010
【図１０】
0005913715.tif 000011
【図１１】
0005913715.tif 000012
【図１２】
0005913715.tif 000013